(57)【要約】  【課題】より使い勝手の良い、音声及び手動による操作手段を装備した機器制御システムを提供すること。  【解決手段】音声及び手動による操作手段を備え、その操作手段から選択された操作命令項目に基づいて機器の制御を行なう機器制御システムにおいて、音声操作による操作命令項目が手動操作による操作命令項目よりもより最終的な操作命令項目で構成し、手動操作による階層数よりも音声操作による階層数を少なくする。  【選択図】図４
2006301652.tif 000002
【特許請求の範囲】
【請求項１】
音声及び手動による操作手段を備え、該操作手段から選択された操作命令項目に基づいて機器の制御を行なう機器制御システムにおいて、
音声操作による操作命令項目が手動操作による操作命令項目よりもより最終的な操作命令項目で構成され、手動操作による階層数よりも音声操作による階層数が少ないものとなっていることを特徴とする機器制御システム。
【請求項２】
音声で操作可能な音声操作手段、及び手動で操作可能な手動操作手段を備え、前記音声操作手段、又は前記手動操作手段により選択された操作命令項目に基づいて機器の制御を行う機器制御システムにおいて、
操作命令項目が階層化され、
前記手動操作手段による手動操作の場合は、上位の階層を経由することによって、その下位の階層にある操作命令項目を選択するように構成されると共に、
前記音声操作手段による音声操作で、前記手動操作手段による手動操作の場合に必要とされる上位の階層を経由せずに、下位の階層にある操作命令項目をダイレクトに選択し得るように構成されていることを特徴とする機器制御システム。
【請求項３】
操作命令項目に放送局名が含まれており、
前記手動操作手段による手動操作の場合は、上位の階層を経由することによって、その下位の階層にある放送局名を選択するように構成されると共に、
前記音声操作手段による音声操作で、前記手動操作手段による手動操作の場合に必要とされる上位の階層を経由せずに、下位の階層にある放送局をダイレクトに選択し得るように構成されていることを特徴とする請求項２記載の機器制御システム。
【請求項４】
前記音声操作手段による音声操作で、前記手動操作手段による手動操作で必要とされる上位の階層を経由せずに、その下位の階層にある操作命令項目がダイレクトに選択された場合、
前記下位の階層での選択と、前記その上位の階層での選択とが行われたことになるように構成されていることを特徴とする請求項２記載の機器制御システム。
【請求項５】
操作命令項目に放送種別が含まれ、
その下位の階層にある操作命令項目に放送局名が含まれており、
前記音声操作手段による音声操作で、前記手動操作手段による手動操作で必要とされる上位の階層を経由せずに、その下位の階層にある放送局名がダイレクトに選択された場合、
放送種別の選択と、放送局の選択とが行われたことになるように構成されていることを特徴とする請求項４記載の機器制御システム。
【請求項６】
前記音声操作手段による音声操作で、前記手動操作手段による手動操作で必要とされる上位の階層を経由せずに、その下位の階層にある操作命令項目がダイレクトに選択された場合、
前記下位の階層での選択に応じた機器制御と、前記その上位の階層での選択に応じた機器制御が行われるように構成されていることを特徴とする請求項２記載の機器制御システム。
【請求項７】
操作命令項目に放送種別が含まれ、
その下位の階層にある操作命令項目に放送局名が含まれており、
前記音声操作手段による音声操作で、前記手動操作手段による手動操作で必要とされる上位の階層を経由せずに、その下位の階層にある放送局名がダイレクトに選択された場合、
放送種別選択に応じた機器制御と、放送局選択に応じた機器制御とが行われるように構成されていることを特徴とする請求項６記載の機器制御システム。
【請求項８】
音声で操作可能な音声操作手段、及び手動で操作可能な手動操作手段を備え、前記音声操作手段、又は前記手動操作手段により選択された操作命令項目に基づいて機器の制御を行う機器制御システムにおいて、
ある操作状態からある操作命令項目を選択するのに要する操作ステップ数が、前記手動操作手段による手動操作の場合よりも、前記音声操作手段による音声操作の場合の方が少ないことを特徴とする機器制御システム。
【請求項９】
音声で操作可能な音声操作手段、及び手動で操作可能な手動操作手段を備え、前記音声操作手段、又は前記手動操作手段により選択された操作命令項目に基づいて機器の制御を行う機器制御システムにおいて、
前記手動操作手段による手動操作の場合は、所望の放送受信モードへのモード切替後、放送局を選択し得る状態になり、
前記音声操作手段による音声操作の場合は、モードの状態に関係なく、放送局名の発声で、ダイレクトに放送局を選択するように構成されていることを特徴とする機器制御システム。
【請求項１０】
音声で操作可能な音声操作手段、及び手動で操作可能な手動操作手段を備え、前記音声操作手段、又は前記手動操作手段により選択された操作命令項目に基づいて機器の制御を行う機器制御システムにおいて、
操作命令項目が階層化され、
前記手動操作手段による手動操作の場合は、上位の階層を経由することによって、その下位の階層にある操作命令項目を選択するように構成されると共に、
前記音声操作手段による音声操作で、上位の階層とその下位の階層にある操作命令項目とを組み合わせた操作命令項目を一度に選択し得るように構成されていることを特徴とする機器制御システム。
【請求項１１】
請求項１〜１０のいずれかの項に記載の機器制御システムが装備されていることを特徴とする車載用機器。
【発明の詳細な説明】
【技術分野】
【０００１】
本発明は機器制御システム、及び車載用機器に関し、より詳細には、音声及び手動による複数の操作手段（例えば、本体に取り付けられた手動式スイッチや、リモコンを用いた手動式スイッチ、音声認識装置等）を備えた機器制御システム、及び該機器制御システムを採用した車載用機器に関する。
【背景技術】
【０００２】
近年、音声及び手動による複数の操作手段を備えた機器制御システムが開発されている。特に、車載用機器の操作に音声を用いれば、運転者の脇見運転等を抑えることができ、安全性の向上を図ることができる。
【０００３】
図９は、複数の操作手段を備えた、従来の機器制御システムの要部を概略的に示したブロック図である。該機器制御システムでは、手動操作によるリモコン９からの信号を受信する受信手段２、本体に装備された本体スイッチ３、及び音声認識処理手段５からの情報がそれぞれ制御手段７に入力されるようになっており、これらの情報に基づいて、制御手段７が機器８の制御を行なうように構成されている。マイク４は使用者１０から発声された音声を捕らえるものであり、その音声は音声認識手段５によってＡ／Ｄ変換された後、音声認識処理が施される。また、メモリ６には音声認識用のデータが格納されている。
【０００４】
図９に示したような機器制御システムの場合、使用者の好みに応じて、音声操作と手動操作とを使い分けることができ、また音声操作を使用することによって視線移動が抑えられるので、特に運転者にとっては安全性の高いシステムとなっている。
しかしながら、上記機器制御システムには、まだまだ使い勝手の良くないところがあった。
【発明の開示】
【課題を解決するための手段及びその効果】
【０００５】
本発明は上記課題に鑑みなされたものであって、より使い勝手の良い、音声及び手動による操作手段を装備した機器制御システム、及び車載用機器を提供することを目的としている。
【０００６】
上記目的を達成するために本発明に係る機器制御システム（１）は、音声及び手動による操作手段を備え、該操作手段から選択された操作命令項目に基づいて機器の制御を行なう機器制御システムにおいて、音声操作による操作命令項目が手動操作による操作命令項目よりもより最終的な操作命令項目で構成され、手動操作による階層数よりも音声操作による階層数が少ないものとなっていることを特徴としている。
【０００７】
上記機器制御システム（１）によれば、音声操作による操作命令項目が手動操作による操作命令項目よりもより最終的な操作命令項目で構成されているので、音声操作によって機器の制御をよりダイレクトに行なうことができるようになる。
例えば、オーディオ操作として、ＣＤを聴いていてＦＭラジオの「ＦＭ大阪」に切り替える場合に、『エフエムオーサカ』と発声するだけで、ダイレクトにＦＭラジオの「ＦＭ大阪」に切り替えることができる。
【０００８】
また、本発明に係る機器制御システム（２）は、音声で操作可能な音声操作手段、及び手動で操作可能な手動操作手段を備え、前記音声操作手段、又は前記手動操作手段により選択された操作命令項目に基づいて機器の制御を行う機器制御システムにおいて、操作命令項目が階層化され、前記手動操作手段による手動操作の場合は、上位の階層を経由することによって、その下位の階層にある操作命令項目を選択するように構成されると共に、前記音声操作手段による音声操作で、前記手動操作手段による手動操作の場合に必要とされる上位の階層を経由せずに、下位の階層にある操作命令項目をダイレクトに選択し得るように構成されていることを特徴としている。
【０００９】
上記機器制御システム（２）によれば、操作命令項目が階層化され、前記手動操作手段による手動操作の場合は、上位の階層を経由することによって、その下位の階層にある操作命令項目を選択するように構成されているので、例えば、ＣＤを聴いていた時に、手動操作でＦＭラジオの「ＦＭ大阪」に切り替える場合、ボタン［ＦＭ］を押し、そして周波数「85.1MHz 」（ＦＭ大阪）がメモリされているボタンを押すことによって、「ＦＭ大阪」のラジオ受信に切り替えることができる。
【００１０】
さらに、上記機器制御システム（２）によれば、前記音声操作手段による音声操作で、前記手動操作手段による手動操作の場合に必要とされる上位の階層を経由せずに、下位の階層にある操作命令項目をダイレクトに選択し得るように構成されているので、例えば、ＣＤを聴いていた時に、音声操作でＦＭラジオの「ＦＭ大阪」に切り替える場合、『エフエムオーサカ』と発声するだけで、ダイレクトに「ＦＭ大阪」のラジオ受信に切り替えることができる。
【００１１】
また、本発明に係る機器制御システム（３）は、音声で操作可能な音声操作手段、及び手動で操作可能な手動操作手段を備え、前記音声操作手段、又は前記手動操作手段により選択された操作命令項目に基づいて機器の制御を行う機器制御システムにおいて、ある操作状態からある操作命令項目を選択するのに要する操作ステップ数が、前記手動操作手段による手動操作の場合よりも、前記音声操作手段による音声操作の場合の方が少ないことを特徴としている。
【００１２】
上記機器制御システム（３）によれば、ある操作状態からある操作命令項目を選択するのに要する操作ステップ数が、前記手動操作手段による手動操作の場合よりも、前記音声操作手段による音声操作の場合の方が少ない。例えば、ＣＤを聴いていた時に、音声操作でＦＭラジオの「ＦＭ大阪」に切り替える場合、『エフエムオーサカ』と発声するだけで、ダイレクトに「ＦＭ大阪」のラジオ受信に切り替えることができる。
【００１３】
また、本発明に係る機器制御システム（４）は、音声で操作可能な音声操作手段、及び手動で操作可能な手動操作手段を備え、前記音声操作手段、又は前記手動操作手段により選択された操作命令項目に基づいて機器の制御を行う機器制御システムにおいて、前記手動操作手段による手動操作の場合は、所望の放送受信モードへのモード切替後、放送局を選択し得る状態になり、前記音声操作手段による音声操作の場合は、モードの状態に関係なく、放送局名の発声で、ダイレクトに放送局を選択するように構成されていることを特徴としている。
【００１４】
上記機器制御システム（４）によれば、前記手動操作手段による手動操作の場合は、所望の放送受信モードへのモード切替後、放送局を選択し得る状態になる。例えば、ボタン［ＦＭ］を押すことによって、モードがＦＭラジオモードへ切り替わり、その後、「ＦＭ大阪」など放送局を選択し得る状態になる。
【００１５】
また、上記機器制御システム（４）によれば、前記音声操作手段による音声操作の場合は、モードの状態に関係なく、放送局名の発声で、ダイレクトに放送局を選択するように構成されている。例えば、ＦＭラジオモードに切り替わっていなくても、『エフエムオーサカ』と放送局名を発声するだけで、ダイレクトに「ＦＭ大阪」のラジオ受信に切り替えることができる。
【００１６】
また、本発明に係る機器制御システム（５）は、音声で操作可能な音声操作手段、及び手動で操作可能な手動操作手段を備え、前記音声操作手段、又は前記手動操作手段により選択された操作命令項目に基づいて機器の制御を行う機器制御システムにおいて、操作命令項目が階層化され、前記手動操作手段による手動操作の場合は、上位の階層を経由することによって、その下位の階層にある操作命令項目を選択するように構成されると共に、前記音声操作手段による音声操作で、上位の階層とその下位の階層にある操作命令項目とを組み合わせた操作命令項目を一度に選択し得るように構成されていることを特徴としている。
【００１７】
上記機器制御システム（５）によれば、操作命令項目が階層化され、前記手動操作手段による手動操作の場合は、上位の階層を経由することによって、その下位の階層にある操作命令項目を選択するように構成されているので、例えば、ラジオを聴いていた時に、手動操作でテープを再生させたい場合、ボタン［テープ］を押し、そしてボタン「再生」を押すことによって、テープを再生させることができる。
【００１８】
さらに、上記機器制御システム（５）によれば、前記音声操作手段による音声操作で、上位の階層とその下位の階層にある操作命令項目とを組み合わせた操作命令項目を一度に選択し得るように構成されているので、例えば、ラジオを聴いていた時に、音声操作でテープを再生させたい場合、『テープサイセイ』と発声するだけで、オーディオ機能をラジオモードからテープモードへ切り替え、そしてテープを再生させることができる（表２参照）。
【００１９】
また、本発明に係る車載用機器（１）は、上記機器制御システム（１）〜（４）のいずれかが装備されていることを特徴としている。
上記車載用機器（１）によれば、使い勝手の良い機器となり、操作時の視線移動を抑えることができるので、走行の安全性を高めることができる。
【発明を実施するための最良の形態】
【００２０】
以下、本発明に係る機器制御システム、及び車載用機器の実施の形態を図面に基づいて説明する。図１は、実施の形態に係る機器制御システム（１）を含んで構成された車載用機器の要部を概略的に示したブロック図である。ここでは、図９に示した機器制御システムと同様の構成については、その説明を省略する。
【００２１】
受信手段２、及び本体スイッチ３は排他手段１１を介して制御回路１４に接続され、マイク４は排他手段１１を介して音声認識処理手段５に接続され、そして音声認識手段５は切替手段１２を介して制御回路１５に接続されている。また、制御手段１３は制御回路１４、及び制御回路１５を含んで構成され、受信手段２、本体スイッチ３、及び音声認識手段５からのデータに基づいて、機器８の制御を行なうようになっている。
【００２２】
排他手段１１は、音声又は手動のいずれかのみによって、機器８の制御を行なうようにするためのものであり、切替手段１２からの信号に応じて、手動式スイッチであるリモコン９、及び本体スイッチ３からのデータを制御手段１３に伝達させないように構成されている。
【００２３】
切替手段１２の動作を図２に示したフローチャートに基づいて説明する。
まずステップ１において、音声認識処理手段５からの入力データがあるか否かを判断する。入力データがあると判断すれば、ステップ２に移り、手動操作を不可能とするように排他手段１１に信号を出力して、ステップ３に進む。一方、入力データがないと判断すれば、ステップ１に戻る。
【００２４】
次にステップ３では、音声認識処理手段５からの新たな入力データがあるか否かを判断する。入力データがあると判断すれば、ステップ４に移り、タイマｔを０にしてステップ５に進む。一方、入力データがないと判断すれば、ステップ４を飛ばしてステップ５に進む。
【００２５】
ステップ５では、タイマｔが所定時間Ｔ以上であるか否かを判断する。所定時間Ｔ以上であれば、ステップ６に移り、手動操作を可能とするように排他手段１１に信号を出力して、ステップ１に戻る。一方、所定時間Ｔ以上でなければ、ステップ３に戻る。
すなわち、切替手段１２は音声による操作が開始されると、リモコン９、及び本体スイッチ３による操作制御ができなくなるように動作し、また音声による操作が所定時間Ｔのあいだ行なわれないと再びリモコン９、及び本体スイッチ３による操作が可能となるように動作するように構成されている。
【００２６】
また、図３に示したように、使用者が操作することのできる切替スイッチ１７を排他手段１１に接続することにより排他手段１１を制御し、音声又は手動のいずれかのみによって機器８の制御を行なうようにすることもできる。
また、メモリ１６には手動操作による操作命令項目よりもより最終的な操作命令項目が音声認識用データとして格納されており、制御回路１５は音声認識処理手段５からの認識データに基づいて機器８の制御を行なうように構成されている。
表１にはメモリ１６に格納されている音声認識用データを示し、表２には音声認識用データと該データに基づいて制御手段１３が行なう制御機能とを示している。
【００２７】
【表１】
2006301652.tif 000003
【００２８】
【表２】
2006301652.tif 000004
【００２９】
続いて、オーディオ操作として、ＣＤを聴いていてＦＭラジオの「ＦＭ大阪」に切り替える場合について説明する。
１．リモコン９、又は本体スイッチ３を用いて、手動操作で行なう場合
第１番目の操作として、ボタン［ＦＭ］を押す。
これによって、オーディオ機能がＦＭラジオに切り替わる。
第２番目の操作として、複数のメモリボタンの中から周波数「85.1MHz 」（ＦＭ大阪）がメモリされているボタンを押す。
これによって、放送局がＦＭ大阪に切り替わる。但し、ここではあらかじめ周波数「85.1MHz 」がメモリされているものとする。
２．音声操作で行なう場合
表１、及び表２から明らかなように、より最終的な操作命令項目を音声認識用データとしてメモリさせておくことによって、『エフエムオーサカ』と発声するだけで、ダイレクトでＦＭラジオの「ＦＭ大阪」に切り替わる。
【００３０】
上記実施の形態に係る機器制御システム（１）によれば、使用可能な操作手段を音声又は手動のいずれかのみに制限することができるので、操作時における使用者の混乱を避けることができ、使い勝手が良い。また、音声操作による操作命令項目が手動操作による操作命令項目よりもより最終的な操作命令項目で構成されているので、音声操作によって機器の制御をよりダイレクトに行なうことができるようになる。
【００３１】
上記オーディオ操作以外の例として、ナビゲーションシステムを利用し、「渋滞情報」を入手する際の操作について説明する。手動操作では、まず全体のメニュー画面を開いて、「ＶＩＣＳ」画面、及び「文字情報取得」画面を経た後に、「渋滞情報」を入手するというのが一般的であるが、最終的な操作命令項目である『ジュウタイジョウホウ』を音声認識用データとして格納しておくことにより、ダイレクトで「渋滞情報」を入手することが可能となる。
【００３２】
図４は、実施の形態に係る機器制御システム（２）を含んで構成された車載用機器の要部を概略的に示したブロック図である。ここでは、図９に示した機器制御システムと同様の構成については、その説明を省略する。
受信手段２、本体スイッチ３、及び音声認識処理手段５は制御手段１９に接続され、制御手段１９は機器８、及び表示手段２０に接続されている。音声認識処理手段５と接続されているメモリ１８には、手動操作による操作命令項目と同じ操作命令項目が音声認識用データとして格納されている。
【００３３】
また、制御手段１９は、音声又は手動のいずれによっても機器８の制御を行なうことができるように、音声操作による操作命令項目と手動操作による操作命令項目とが共通化されて構成され、さらに手動（リモコン９、本体スイッチ３）又は音声のいずれによって操作が行なわれたとしても、その操作状況を表示手段２０に表示させるように構成されている。
表３にはメモリ１８に格納されている音声認識用データを示し、表４には音声認識用データと該データに基づいて制御手段１９が行なう制御機能とを示している。
【００３４】
【表３】
2006301652.tif 000005
【００３５】
【表４】
2006301652.tif 000006
【００３６】
続いて、オーディオ操作として、ＣＤを聴いていてＦＭラジオの「ＦＭ大阪」に切り替える場合について説明する。
１．リモコン９、又は本体スイッチ３を用いて、手動操作のみで行なう場合
第１番目の操作として、ボタン［ＦＭ］を押す。
これによって、オーディオ機能がＦＭラジオに切り替わる。
第２番目の操作として、複数のメモリボタン（Ｉ〜Ｖの５つのボタンがあるとする）の中から周波数「85.1MHz 」（ＦＭ大阪）がメモリされているメモリボタンIIを押す。
これによって、放送局がＦＭ大阪に切り替わる。但し、ここでは周波数「85.1MHz 」があらかじめメモリボタンIIにメモリされているものとする。
２．マイク４から入力される音声操作のみで行なう場合
第１番目の操作として、『エフエム』と発声する。
これによって、オーディオ機能がＦＭラジオに切り替わる。
第２番目の操作として、『メモリーナンバー・ニバン』と発声することによって、メモリボタンIIにメモリされている周波数「85.1MHz 」（ＦＭ大阪）の放送局に切り替わる。
３．手動操作と音声操作とで行なう場合（その１）
第１番目の操作として、ボタン［ＦＭ］を押す。
第２番目の操作として、『メモリーナンバー・ニバン』と発声する。
４．手動操作と音声操作とで行なう場合（その２）
第１番目の操作として、『エフエム』と発声する。
第２番目の操作として、複数のメモリボタンの中から周波数「85.1MHz 」（ＦＭ大阪）がメモリされているメモリボタンIIを押す。
【００３７】
上記実施の形態に係る機器制御システム（２）によれば、音声操作による操作命令項目と手動操作による操作命令項目とが共通化され、すなわち操作過程で次に選択できる操作命令項目が、音声操作及び手動操作で同じになっているので、音声による操作手段と手動による操作手段との両操作手段を用いたとしても、適切に機器操作を行なうことができる。また、リモコン９や本体スイッチ３を見れば操作手順の分かる手動操作と、音声操作とで操作手順が同じになるので、音声操作による操作手順が分からなくなることをなくすことができる。
また、操作状況を表示手段２０に表示させることによって、表示手段２０からも操作過程で次に選択できる操作命令項目を認識することができる。
【００３８】
図５は、実施の形態に係る機器制御システム（３）を含んで構成された車載用機器の要部を概略的に示したブロック図である。ここでは、図９に示した機器制御システムと同様の構成については、その説明を省略する。
受信手段２、本体スイッチ３、及び音声認識処理手段５は制御手段２２に接続され、制御手段２２は機器８、及び音声出力手段２３に接続されている。音声認識処理手段５と接続されているメモリ２１には、手動操作による操作命令項目と組み合わせて用いられる、音声操作による操作命令項目が音声認識用データとして格納されている。
また、制御手段２２は、音声操作による操作命令項目と手動による操作命令項目とを組み合わせて用いるように、さらに必要な操作案内を音声出力手段２３から行なわせるように構成されている。
【００３９】
続いて、ナビゲーションシステムを利用し、電話番号を入力して目的地を設定する場合について説明する。
第１の操作として、『デンワバンゴウケンサク』と発声すると、音声出力手段２３より「（リモコンの）テンキーで電話番号を入力して下さい。」と案内される。第２の操作として、リモコンのテンキーを操作して電話番号を入力し、第３の操作として、『モクテキチセッテイ』と発声する。
【００４０】
上記実施の形態に係る機器制御システム（３）によれば、音声操作及び手動操作それぞれの良い部分を有効に用いることができるように構成されているので、使い勝手が大変良くなる。
【００４１】
上記実施の形態に係る機器制御システム（１）〜（３）のいずれかにおいて、マイク４より入力された音声の大きさに応じて制御量を差別化するように構成することによって、例えば、ボリューム操作において、大きな声で『ボリュームアップ』といった場合と小さな声で『ボリュームアップ』といった場合とでは、ボリュームアップのレベルを変えることができる。
【００４２】
この動作を図６に示したフローチャートに基づいて説明する。
まず、ステップ１１において、『ボリュームアップ』と発声された音声量ｖが所定声量Ｖ以上であるか否かを判断する。音声量ｖが所定声量Ｖ以上であれば、ステップ１２に移り、音声量ｖに応じてボリュームアップを行なう。一方、音声量ｖが所定声量Ｖ以上でなければ、ステップ１３に移り、所定量だけボリュームアップを行なう。
【００４３】
上記実施の形態に係る機器制御システム（１）〜（３）のいずれかにおいて、マイク４より終了命令項目（例えば、『ストップ』）が入力されるまで、継続中の作動を終了させないように構成することによって、例えば、操作画面上のカーソルを移動させる場合において、まず最初に『ミギ』と発声すれば、カーソルが右へ移動しはじめ、次に『ストップ』と発声されるまでカーソルが停止しないように制御することができる。
【００４４】
この動作を図７に示したフローチャートに基づいて説明する。但し、フローチャートには、既にカーソルが右移動を開始した後の動作だけを示す。
まず、ステップ２１において、音声『ストップ』が入力されたか否かを判断する。入力されていれば、ステップ２２に移り、カーソルの移動を停止させるように制御する。一方、入力されていなければ、ステップ２１に戻る。
【００４５】
上記実施の形態に係る機器制御システム（１）〜（３）のいずれかにおいて、マイク４より同音語が連続的に入力されると、その連続数をカウントし、カウントしたカウント値に応じて制御量を決定するように構成することによって、例えば、操作画面上のカーソルを移動させる場合において、『ミギ、ミギ、ミギ』と発声すれば、カーソルを３つ分、右へ移動させることができる。
【００４６】
この動作を図８に示したフローチャートに基づいて説明する。
まずステップ３１において、マイク４から入力されたデータＤを取り込んで、ステップ３２に移り、データＤが『ミギ』データであるか否かを判断する。『ミギ』であると判断すれば、ステップ３４に移り、カウンタＣ（初期値は１とする）に１を加えて、ステップ３１に戻る。一方、『ミギ』でないと判断すれば、ステップ３３に移る。
【００４７】
ステップ３３では、カウンタＣが２以上であるか否かを判断する。カウンタＣが２以上であれば、すなわち同音語が連続して入力されていれば、ステップ３５に移り、データＤとカウンタＣとを制御手段へ出力する。一方、カウンタＣが２以上でなければ、ステップ３６に移り、データＤだけを制御手段へ出力する。
【００４８】
上記実施の形態に係る機器制御システムにおいて、リモコンを用いて音声を入力し、その音声情報を機器本体側へ伝達する場合に、ＦＭ等の電波を用いて行なうように構成することによって、空間に障害物等があったとしても、精度良く音声情報を機器本体側へ伝達させることができる。また、前記リモコンにディスプレイを設けて、音声操作による操作命令項目を表示させることによって、より使い勝手の良いものとすることができる。
また、別のディスプレイに操作命令項目を表示させたり、またスピーカを用いて操作命令項目を案内させる構成とすることもできる。
【図面の簡単な説明】
【００４９】
【図１】本発明の実施の形態に係る機器制御システム（１）を含んで構成された車載用機器の要部を概略的に示したブロック図である。
【図２】実施の形態に係る機器制御システム（１）における切替手段の動作を示したフローチャートである。
【図３】別の実施の形態に係る機器制御システムを含んで構成された車載用機器の要部を概略的に示したブロック図である。
【図４】実施の形態に係る機器制御システム（２）を含んで構成された車載用機器の要部を概略的に示したブロック図である。
【図５】実施の形態に係る機器制御システム（３）を含んで構成された車載用機器の要部を概略的に示したブロック図である。
【図６】音声の大きさに応じて制御量を差別化する動作を示したフローチャートである。
【図７】終了命令項目が入力された場合の動作を示したフローチャートである。
【図８】同音語が連続的に入力された場合の動作を示したフローチャートである。
【図９】従来の機器制御システムの要部を概略的に示したブロック図である。
【符号の説明】
【００５０】
２  受信手段
３  本体スイッチ
４  マイク
５  音声認識処理手段
６、１６、１８、２１  メモリ
７、１３、１９、２２  制御手段
８  機器
９  リモコン
１０  使用者
１１  排他手段
１２  切替手段
１４、１５  制御回路
１７  切替スイッチ
２０  表示手段
２３  音声出力手段
【図１】
2006301652.tif 000007
【図２】
2006301652.tif 000008
【図３】
2006301652.tif 000009
【図４】
2006301652.tif 000010
【図５】
2006301652.tif 000011
【図６】
2006301652.tif 000012
【図７】
2006301652.tif 000013
【図８】
2006301652.tif 000014
【図９】
2006301652.tif 000015
【手続補正書】
【提出日】平成18年9月11日(2006.9.11)
【手続補正１】
【補正対象書類名】特許請求の範囲
【補正対象項目名】全文
【補正方法】変更
【補正の内容】
【特許請求の範囲】
【請求項１】
音声及び手動による操作手段を備え、該操作手段から選択された操作命令項目に基づい
て機器の制御を行なう機器制御システムにおいて、
音声操作による操作命令項目である音声認識用データを記憶する記憶手段を備えると共
に、前記音声認識用データは、該データに基づいて行われる制御機能と対応付けられ、
該制御機能が、手動操作による操作命令項目に対応する制御機能を複数合わせたもので
あり、
音声操作による操作命令項目が手動操作による操作命令項目よりもより最終的な操作命
令項目で構成され、手動操作による階層数よりも音声操作による階層数が少ないものとな
っていることを特徴とする機器制御システム。
【請求項２】
音声で操作可能な音声操作手段、及び手動で操作可能な手動操作手段を備え、前記音声
操作手段、又は前記手動操作手段により選択された操作命令項目に基づいて機器の制御を
行う機器制御システムにおいて、
音声操作による操作命令項目である音声認識用データを記憶する記憶手段を備えると共
に、前記音声認識用データは、該データに基づいて行われる制御機能と対応付けられ、
操作命令項目が階層化され、
前記制御機能が、手動操作による操作命令項目に対応する制御機能を複数合わせたもの
であり、
前記手動操作手段による手動操作の場合は、上位の階層を経由することによって、その
下位の階層にある操作命令項目を選択するように構成されると共に、
前記音声操作手段による音声操作で、前記手動操作手段による手動操作の場合に必要と
される上位の階層を経由せずに、下位の階層にある操作命令項目をダイレクトに選択し得
るように構成されていることを特徴とする機器制御システム。
【請求項３】
操作命令項目に放送局名が含まれており、
前記手動操作手段による手動操作の場合は、上位の階層を経由することによって、その
下位の階層にある放送局名を選択するように構成されると共に、
前記音声操作手段による音声操作で、前記手動操作手段による手動操作の場合に必要と
される上位の階層を経由せずに、下位の階層にある放送局をダイレクトに選択し得るよう
に構成されていることを特徴とする請求項２記載の機器制御システム。
【請求項４】
前記音声操作手段による音声操作で、前記手動操作手段による手動操作で必要とされる
上位の階層を経由せずに、その下位の階層にある操作命令項目がダイレクトに選択された
場合、
前記下位の階層での選択と、前記その上位の階層での選択とが行われたことになるよう
に構成されていることを特徴とする請求項２記載の機器制御システム。
【請求項５】
操作命令項目に放送種別が含まれ、
その下位の階層にある操作命令項目に放送局名が含まれており、
前記音声操作手段による音声操作で、前記手動操作手段による手動操作で必要とされる
上位の階層を経由せずに、その下位の階層にある放送局名がダイレクトに選択された場合
、
放送種別の選択と、放送局の選択とが行われたことになるように構成されていることを
特徴とする請求項４記載の機器制御システム。
【請求項６】
前記音声操作手段による音声操作で、前記手動操作手段による手動操作で必要とされる
上位の階層を経由せずに、その下位の階層にある操作命令項目がダイレクトに選択された
場合、
前記下位の階層での選択に応じた機器制御と、前記その上位の階層での選択に応じた機
器制御が行われるように構成されていることを特徴とする請求項２記載の機器制御システ
ム。
【請求項７】
操作命令項目に放送種別が含まれ、
その下位の階層にある操作命令項目に放送局名が含まれており、
前記音声操作手段による音声操作で、前記手動操作手段による手動操作で必要とされる
上位の階層を経由せずに、その下位の階層にある放送局名がダイレクトに選択された場合
、
放送種別選択に応じた機器制御と、放送局選択に応じた機器制御とが行われるように構
成されていることを特徴とする請求項６記載の機器制御システム。
【請求項８】
音声で操作可能な音声操作手段、及び手動で操作可能な手動操作手段を備え、前記音声
操作手段、又は前記手動操作手段により選択された操作命令項目に基づいて機器の制御を
行う機器制御システムにおいて、
音声操作による操作命令項目である音声認識用データを記憶する記憶手段を備えると共
に、前記音声認識用データは、該データに基づいて行われる制御機能と対応付けられ、
該制御機能が、手動操作による操作命令項目に対応する制御機能を複数合わせたもので
あり、
ある操作状態からある操作命令項目を選択するのに要する操作ステップ数が、前記手動
操作手段による手動操作の場合よりも、前記音声操作手段による音声操作の場合の方が少
ないことを特徴とする機器制御システム。
【請求項９】
音声で操作可能な音声操作手段、及び手動で操作可能な手動操作手段を備え、前記音声
操作手段、又は前記手動操作手段により選択された操作命令項目に基づいて機器の制御を
行う機器制御システムにおいて、
音声操作による操作命令項目である音声認識用データを記憶する記憶手段を備えると共
に、前記音声認識用データは、該データに基づいて行われる制御機能と対応付けられ、
該制御機能が、手動操作による操作命令項目に対応する制御機能を複数合わせたもので
あり、
前記手動操作手段による手動操作の場合は、所望の放送受信モードへのモード切替後、
放送局を選択し得る状態になり、
前記音声操作手段による音声操作の場合は、モードの状態に関係なく、放送局名の発声
で、ダイレクトに放送局を選択するように構成されていることを特徴とする機器制御シス
テム。
【請求項１０】
音声で操作可能な音声操作手段、及び手動で操作可能な手動操作手段を備え、前記音声
操作手段、又は前記手動操作手段により選択された操作命令項目に基づいて機器の制御を
行う機器制御システムにおいて、
音声操作による操作命令項目である音声認識用データを記憶する記憶手段を備えると共
に、前記音声認識用データは、該データに基づいて行われる制御機能と対応付けられ、
操作命令項目が階層化され、
前記制御機能が、手動操作による操作命令項目に対応する制御機能を複数合わせたもの
であり、
前記手動操作手段による手動操作の場合は、上位の階層を経由することによって、その
下位の階層にある操作命令項目を選択するように構成されると共に、
前記音声操作手段による音声操作で、上位の階層とその下位の階層にある操作命令項目
とを組み合わせた操作命令項目を一度に選択し得るように構成されていることを特徴とす
る機器制御システム。
【請求項１１】
請求項１〜１０のいずれかの項に記載の機器制御システムが装備されていることを特徴
とする車載用機器。
【手続補正２】
【補正対象書類名】明細書
【補正対象項目名】０００６
【補正方法】変更
【補正の内容】
【０００６】
上記目的を達成するために本発明に係る機器制御システム（１）は、音声及び手動によ
る操作手段を備え、該操作手段から選択された操作命令項目に基づいて機器の制御を行な
う機器制御システムにおいて、音声操作による操作命令項目である音声認識用データを記
憶する記憶手段を備えると共に、前記音声認識用データは、該データに基づいて行われる
制御機能と対応付けられ、該制御機能が、手動操作による操作命令項目に対応する制御機
能を複数合わせたものであり、音声操作による操作命令項目が手動操作による操作命令項
目よりもより最終的な操作命令項目で構成され、手動操作による階層数よりも音声操作に
よる階層数が少ないものとなっていることを特徴としている。
【手続補正３】
【補正対象書類名】明細書
【補正対象項目名】０００８
【補正方法】変更
【補正の内容】
【０００８】
また、本発明に係る機器制御システム（２）は、音声で操作可能な音声操作手段、及び
手動で操作可能な手動操作手段を備え、前記音声操作手段、又は前記手動操作手段により
選択された操作命令項目に基づいて機器の制御を行う機器制御システムにおいて、音声操
作による操作命令項目である音声認識用データを記憶する記憶手段を備えると共に、前記
音声認識用データは、該データに基づいて行われる制御機能と対応付けられ、操作命令項
目が階層化され、前記制御機能が、手動操作による操作命令項目に対応する制御機能を複
数合わせたものであり、前記手動操作手段による手動操作の場合は、上位の階層を経由す
ることによって、その下位の階層にある操作命令項目を選択するように構成されると共に
、前記音声操作手段による音声操作で、前記手動操作手段による手動操作の場合に必要と
される上位の階層を経由せずに、下位の階層にある操作命令項目をダイレクトに選択し得
るように構成されていることを特徴としている。
【手続補正４】
【補正対象書類名】明細書
【補正対象項目名】００１１
【補正方法】変更
【補正の内容】
【００１１】
また、本発明に係る機器制御システム（３）は、音声で操作可能な音声操作手段、及び
手動で操作可能な手動操作手段を備え、前記音声操作手段、又は前記手動操作手段により
選択された操作命令項目に基づいて機器の制御を行う機器制御システムにおいて、音声操
作による操作命令項目である音声認識用データを記憶する記憶手段を備えると共に、前記
音声認識用データは、該データに基づいて行われる制御機能と対応付けられ、該制御機能
が、手動操作による操作命令項目に対応する制御機能を複数合わせたものであり、ある操
作状態からある操作命令項目を選択するのに要する操作ステップ数が、前記手動操作手段
による手動操作の場合よりも、前記音声操作手段による音声操作の場合の方が少ないこと
を特徴としている。
【手続補正５】
【補正対象書類名】明細書
【補正対象項目名】００１３
【補正方法】変更
【補正の内容】
【００１３】
また、本発明に係る機器制御システム（４）は、音声で操作可能な音声操作手段、及び
手動で操作可能な手動操作手段を備え、前記音声操作手段、又は前記手動操作手段により
選択された操作命令項目に基づいて機器の制御を行う機器制御システムにおいて、音声操
作による操作命令項目である音声認識用データを記憶する記憶手段を備えると共に、前記
音声認識用データは、該データに基づいて行われる制御機能と対応付けられ、該制御機能
が、手動操作による操作命令項目に対応する制御機能を複数合わせたものであり、前記手
動操作手段による手動操作の場合は、所望の放送受信モードへのモード切替後、放送局を
選択し得る状態になり、前記音声操作手段による音声操作の場合は、モードの状態に関係
なく、放送局名の発声で、ダイレクトに放送局を選択するように構成されていることを特
徴としている。
【手続補正６】
【補正対象書類名】明細書
【補正対象項目名】００１６
【補正方法】変更
【補正の内容】
【００１６】
また、本発明に係る機器制御システム（５）は、音声で操作可能な音声操作手段、及び
手動で操作可能な手動操作手段を備え、前記音声操作手段、又は前記手動操作手段により
選択された操作命令項目に基づいて機器の制御を行う機器制御システムにおいて、音声操
作による操作命令項目である音声認識用データを記憶する記憶手段を備えると共に、前記
音声認識用データは、該データに基づいて行われる制御機能と対応付けられ、操作命令項
目が階層化され、前記制御機能が、手動操作による操作命令項目に対応する制御機能を複
数合わせたものであり、前記手動操作手段による手動操作の場合は、上位の階層を経由す
ることによって、その下位の階層にある操作命令項目を選択するように構成されると共に
、前記音声操作手段による音声操作で、上位の階層とその下位の階層にある操作命令項目
とを組み合わせた操作命令項目を一度に選択し得るように構成されていることを特徴とし
ている。